(57)【要約】【課題】  風力を利用することで、可燃性廃棄物と不燃性可燃物との分別が自動的に行なえ、その後の回収も容易に行なえる産業廃棄物の分別回収装置を提供する。【解決手段】  基台１０の上にフィダー２０を振動可能に取り付け、このフィダー２０の内部に後部に多数の孔３２を穿設した上部スロープ３１と下部スロープ３３を傾斜して設置し、上記上部スロープ３１の後端にアジャスタ３９を取り付けると共に、上記フィダー２０の上方には、前方に送風路７０，８０を連結したフード４０を配置し、このフード４０の上端に産業廃棄物の投入口４１を構成し、下端には産業廃棄物の排出口４２を構成すると共に、内部には反発板５３，５５を取り付けたことを特徴とする。【選択図】図１
2006007069.tif 000002
【特許請求の範囲】
【請求項１】
基台の上にフィダーを振動可能に取り付け、このフィダーの内部には、後部に多数の孔を穿設し、かつ後端にアジャスタを取り付けた上部スロープと下部スロープを一定間隔を有して傾斜して設置すると共に、
上記フィダーの上方には、上端に産業廃棄物の投入口を構成し下端に産業廃棄物の排出口を構成し内部には反発板を取り付けたフードを配置し、このフードの前方に送風路を連結してなり、
上記フード上端の投入口より産業廃棄物を投入し、この産業廃棄物を落下中に送風路から送られてきた風力によって分別し、かつ上部スロープ上に落下した産業廃棄物を送風路から送られてきた風力によって分別し、産業廃棄物を可燃性廃棄物と不燃性廃棄物に分別して回収する産業廃棄物の分別回収装置。
【発明の詳細な説明】
【技術分野】
【０００１】
本発明は、風力を利用して産業廃棄物を効率よく分別して回収する装置に関するものである。
【背景技術】
【０００２】
従来より産業廃棄物を分別して回収する装置があった。特許文献１に示す従来は産業廃棄物等の廃棄原料を可能な限り、人手によらず風力によって分別し効率よく分別回収するようにしたものである。
【特許文献１】特許公開２０００−１５３２６０
【０００３】
しかしながら、この装置によれば、破砕した微小片を風力分別工程Ｐで風力により質量ごとに分別し、風力分別されたか各微小片を、比重・質量分別工程で所定速度で流れる液体に落下させて、比重及び質量ごとに再分別するものである。
そのため上記装置では、流水部、流水トンネル等が必要となり、装置が大掛になると共に、その操作も煩雑であった。
【発明の開示】
【発明が解決しようとする課題】
【０００４】
本発明は上記の点に鑑みなされたものであり、簡単な機構で産業廃棄物を風力を用いて効率よく分別できる産業廃棄物の分別回収装置を提供するものである。
【課題を解決するための手段】
【０００５】
本発明の要旨とするところは、基台の上にフィダーを振動可能に取り付け、このフィダーの内部には、後部に多数の孔を穿設し、かつ後端にアジャスタを取り付けた上部スロープと下部スロープを一定間隔を有して傾斜して設置すると共に、上記フィダーの上方には、上端に産業廃棄物の投入口を構成し下端に産業廃棄物の排出口を構成し内部には反発板を取り付けたフードを配置し、このフードの前方に送風路を連結してなり、
上記フード上端の投入口より産業廃棄物を投入し、この産業廃棄物を落下中に送風路から送られてきた風力によって分別し、かつ上部スロープ上に落下した産業廃棄物を送風路から送られてきた風力によって分別し、産業廃棄物を可燃性廃棄物と不燃性廃棄物に分別して回収することにある。
【発明の効果】
【０００６】
本発明は上記の如き構成であるため、簡単な機構でありながら産業廃棄物を風力と上部スロープと下部スロープの振動等を利用して効率よく分別して、可燃性廃棄物と不燃性廃棄物に自動的に分別回収できる等の効果を奏する。
【発明を実施するための最良の形態】
【０００７】
本発明を実施するための最良の形態は、基台の上にフィダーを振動可能に取り付け、このフィダーの内部には、後部に多数の孔を穿設し、かつ後端にアジャスタを取り付けた上部スロープと下部スロープを一定間隔を有して傾斜して設置する。
上記フィダーの上方には、上端に産業廃棄物の投入口を構成し下端に産業廃棄物の排出口を構成し内部には反発板を取り付けたフードを配置し、このフードの前方に送風路を連結することによって、送風路から送られてくる風によって不燃性廃棄物に分別して回収する産業廃棄物の分別回収装置である。
【実施例】
【０００８】
図１は本発明の産業廃棄物の分別回収装置の一実施例を示す正面図、図２は同装置の一部を省略した平面図、図３は同装置の風の流れを説明した一部切欠中央断面図および図４は同装置の側面図である。
【０００９】
本実施例の産業廃棄物の分別回収装置１の構成を図に基づいて説明する。
図１ないし図４において、符号１０は地上に立設した基台であり、この基台１０の上には４基のスプリング１５に支持されてフィダー２０が取り付けられている。このフィダー２０は、基台１０下部に設けたモータ１１の働きによって振動を与えられると、上記スプリング１５の作用で上下前方方向に振動するのである。
【００１０】
上記フィダー２０の内部には、上部スロープ３１と下部スロープ３３が一定間隔を有した平行状態で、前方（図中左方）下方に向かって傾斜して配置されている。
【００１１】
上部スロープ３１は図２に示すように鉄板で構成されていて、前端から距離Ｌ２の部分は通常の鉄板であるが、後方の距離Ｌ１の部分は全面に亘って多数の孔３２を穿設したパンチングメタルで構成してある。また、下部スロープ３３はすべて通常の鉄板で構成してある。
上記上部スロープ３１の後端には、産業廃棄物を一時的に滞留させるためのアジャスタ３９が後部上方に向かって傾斜して取り付けられている。
【００１２】
上記フィダー２０の上部には、前方に上部送風路７０および下部送風路８０を連結したフード４０を配置してある。そして、上端には落下してくる産業廃棄物の衝撃を吸収するための吸収板４７を設けた投入口４１を構成し、下端には産業廃棄物を上部スロープ３１上に落下させるための排出口４２を構成してある。さらに後方には蓋体４５で開閉する開口部４３と、その上方に多数の孔４４を穿設してなる。
【００１３】
上記フード４０の内部上方には、反発板５３，５３が軸５１で軸支されていて、下端の排出口４２の後方には反発板５５が後部上方に向かって傾斜して固定されている。なお、図中符号４９は透明板で構成した窓である。
【００１４】
上記のように構成した本実施例の作用を説明する。
まず、ベルトコンベア７９で産業廃棄物を運んできてフード４０上端の投入口４１から投入する。
ここで投入される産業廃棄物は、いわゆる残渣物である。すなわち本件発明の対象とする産業廃棄物とは、産業廃棄物のうち手で分別できるある程度の大きさのものを除去し、さらに粉塵対策のため微細物も除去した残りの手選別の困難な産業廃棄物であり、前処理済みの一定以上の大きさのものをいう。
この産業廃棄物の中には、廃プラスチック、木屑のような可燃性廃棄物と、ガレキ類、鉄などのような不燃性廃棄物が含まれている。
【００１５】
フード４０に投入された産業廃棄物は、まずファン７３から上部送風路７０を通って送られてくる風Ｂ１によって後方（図中右側）への風圧を受けるため、比較的軽い産業廃棄物は後方へ運ばれて反発板５３へ衝突する。この反発板５３は、軸５１に対して回動可能となっているため、産業廃棄物の衝突のショックを吸収して下方に落下させる。また産業廃棄物の外部への流出を防ぐ役割もするのである。
その後、風Ｂ１はフード４０の後方の孔４４、開口部４３から外に抜ける。このとき一部の産業廃棄物も外に運ばれるが、それらの産業廃棄物は分別回収装置１の後方に配置したフレーム９５によって集められる。
【００１６】
上記産業廃棄物のうち、比較的重い産業廃棄物は上部スロープ３１の上に落下する。この落下した産業廃棄物Ｇは、ファン７４から下部送風路８０を通って送られてくる風Ｂ２によって前方から強い風圧を受ける。
【００１７】
下部送風路８０からの風Ｂ２は斜め下方に向かって吹きつけられるが、前方の反発板５５によって上方の風Ｂ３と下方の風Ｂ４に分かれる。
そして、風Ｂ４のように、下方前方に向かって吹いている風は、ある地点から二つに分かれ、一方の風は前方に行き、他方の風はＵターンして逆方向へ向かっていく特性がある。
本実施例の場合に、風Ｂ４は一定の地点Ｐにおいて分岐して、前方に向かう風Ｂ７と逆方向に向かう風Ｂ５となる。
【００１８】
一方、上記のように上部スロープ３１上に落下した産業廃棄物Ｇは、風によって後方に運ばれて、アジャスタ３９によって止められて一時的に滞留する。この滞留した産業廃棄物Ｇに風圧が作用して、分別が行なわれるのである。
すなわち、風Ｂ７は産業廃棄物Ｇの上方を通るため、比較的軽い可燃性物質は開口部４３より外部へと運ばれていく。
【００１９】
風Ｂ６は上部スロープ３１の後部に設けられた多数の孔３２を通過して下部スロープ３１との間隙３１ａに入って前方へと進んでいき、このとき産業廃棄物Ｇのうち細くて重いものが孔３２から吸い込まれて、上記間隙３１ａを通って前方へ運ばれていくのである。
【００２０】
上記反発板５５の作用を説明すると、反発板５５に衝突した産業廃棄物のうち、比較的重い不燃性物質は強い反発力を受けて前方へはじき返されるが、比較的軽い可燃性物質は前方へ飛ばないで風Ｂ７によって外部へ運ばれていくのである。
【００２１】
風Ｂ４から地点Ｐで分岐して逆方向へ向かった風Ｂ５は、残りの産業廃棄物、例えばガレキ等の不燃性廃棄物を上部スロープ３１上を前方のボックス９１へと運んでいく。
【００２２】
上記において上部スロープ３１はモータ１１によって上下前方向へ振動しているから、滞留した産業廃棄物Ｇは常に振動が与えられて、その結果自然とほぐされているため、風力によって十分な分別が可能となるのである。
また、上述のように上部スロープ３１上の産業廃棄物Ｇは、風Ｂ５、風Ｂ６、風Ｂ７の作用によって効率よく分別され、かつ振動の作用もあいまってスムーズに運ばれていくため、アジャスタ３９の滞留部分が閉塞することはない。
【００２３】
上記のように産業廃棄物を風力によって分別すると、産業廃棄物に含まれる可燃性廃棄物の約９５％以上は後方へ排出され、不燃性廃棄物の約９５％以上は前方へと運ばれてボックス９１に収容されるのである。
このように、本実施例によれば、風力と上部スロープと下部スロープの振動及び反発板の作用を利用して、可燃性廃棄物と不燃性廃棄物を効率よく自動的に分別して、可燃性廃棄物の中に不燃性廃棄物を混在させないで分別回収が行なえるのである。
【図面の簡単な説明】
【００２４】
【図１】本発明の一実施例を示す正面図
【図２】本発明の一実施例を示す一部を省略した平面図
【図３】本発明の一実施例を示す風の流れを説明した一部切欠中央断面図
【図４】本発明の一実施例を示す側面図
【符号の説明】
【００２５】
１  産業廃棄物の分別回収装置
１０  基台
１５  スプリング
２０  フィダー
３１  上部スロープ
３２  孔
３３  下部スロープ
３９  アジャスタ
４０  フード
４１  産業廃棄物の投入口
４２  産業廃棄物の排出口
４３  開口部
４４  孔
５３  反発板
５５  反発板
７０  上部送風路
７３  ファン
７４  ファン
８０  下部送風路
【図１】
2006007069.tif 000003
【図２】
2006007069.tif 000004
【図３】
2006007069.tif 000005
【図４】
2006007069.tif 000006